(57)【特許請求の範囲】
【請求項１】
左右方向に延び、かつ、前後方向に互いに対向する少なくとも前後一対の針床を有し、前後の針床の少なくとも一方が左右にラッキング可能で、前後の針床間で編目の目移しが可能な横編機を用いて、指先から編成するとともに、少なくとも一つの指股部に対して、隣り合う指袋が、その編幅方向端部で重なり合うように指股部に襞状部を形成する指袋付きの靴下または手袋の編成方法であって、
襞状部の形成は、
隣接する二つの筒状部を、指股部形成位置において一つの筒状となるように接合して指股部を形成した後、
接合後の筒状部における前側編地部または後側編地部の一方の編地部において、編地が折り重なるように、複数の編目を前記指股部で重ね合わせて重ね目を形成するとともに、前後他方の編地部の編目を一方の編地部側に回し込み、重ね目に連続する編目を形成することにより行うことを特徴とする指袋付きの靴下または手袋の編成方法。
【請求項２】
複数の指股部に襞状部を形成するときは、前後編地部において同じ側の編地部で襞状部を形成するように、前記した隣接する二つの筒状部を接合して襞状部を形成する動作を繰り返し、
隣接する二つの筒状部を接合する際、すでに襞状部が形成された筒状部については、回し込まれた側の編幅方向端部を、他方の筒状部と接合することを特徴とする請求の範囲第１項に記載の指袋付きの靴下または手袋の編成方法。
【請求項３】
隣接する二つの筒状部を接合するときは、各筒状部の編幅方向端部の編目同士を重ね合わせた後、重ね目に連続する編目を形成することを特徴とする請求の範囲第１項または第２項に記載の指袋付きの靴下または手袋の編成方法。
【請求項４】
隣接する二つの筒状部を接合する前に、襞状部が形成されていない一方の筒状部について、前側編地部と後側編地部の前後で対向する編幅方向端部の複数の編目同士が襞状部の形成時に重ね合わされるように、この一方の筒状部を予め回しておいて、襞状部を形成し、全ての襞状部が形成されたときに、接合された筒状部における前側編地部と後側編地部の境界部が前後の針床の間に位置するように編成することを特徴とする請求の範囲第１項から第３項の何れかに記載の指袋付きの靴下または手袋の編成方法。
【請求項５】
多数の編針を装着した針床を前後に対向して設けた横編機を使用して、二つ以上の指袋を有し、指先から編成されるとともに、少なくとも一つの指股部に対して、隣り合う指袋がその編幅方向端部で重なり合うように指股部に襞状部が形成された指袋付きの靴下または手袋であって、
隣接する筒状部が接合されて一つの筒状になった筒状部における前側編地部または後側編地部の一方の編地部において、編地が折り重なるように、複数の編目が前記指股部で重ね合わされ、さらに、重ね合わされた編目に連続する編目が形成されることにより襞状部が形成されていることを特徴とする指袋付きの靴下または手袋。
【発明の詳細な説明】
【技術分野】
【０００１】
本発明は、指袋付きの靴下または手袋の編成方法、特に、５本の指袋を有する靴下または手袋の編成方法および指袋付きの靴下または手袋に関する。
【背景技術】
【０００２】
靴下や手袋は横編機を用いて編成することができる。指袋を有する靴下や手袋は、各指袋を指先から指股部まで１つの筒状体として編成する。手袋の場合は、一般に、小指、薬指、中指、人差指の順に各指袋を編成しておいて、これらの指袋を互いの指股部形成位置で接合しながら一つの筒状体として４本胴を編成する。次に親指指袋を編成して親指指袋と４本胴を接合して一つにした５本胴を編成する。【０００３】
また、靴下の編成については、親指、人差指、中指、薬指の指袋を編成した後、これら指袋を指股部形成位置で親指と人差指の指袋を接合して２本胴を形成し、中指の指袋と２本胴を接合して３本胴を形成し、３本胴と薬指の指袋とを接合して４本胴を形成した後、小指の指袋を編成して、この小指の指袋と４本胴と接合して靴下を編成する場合もある(例えば特許文献１参照)。さらに、３本の指袋を接合して３本胴を形成した後、３本胴に他の指袋を１本接合して４本胴を形成し、さらに、残りの指袋を４本胴に接合して５本胴を形成することにより手袋を編成する場合もある（特許文献２を参照）。【０００４】
【特許文献１】特開２０００−２３９９５０号公報
【特許文献２】特開２０００−２２００６４号公報
【発明の開示】
【発明が解決しようとする課題】
【０００５】
一般に指袋付き靴下または手袋は、専用の横編機を用いて編成される。この専用の横編機には、各指袋間の付け根となる指股部に股重ね編成を施すためのカミソリと呼ばれる抑止杆が備えられている。このカミソリを用いることにより、指股部に股重ねが施されて指股部に孔が開かないようにすることができる。【０００６】
具体的には、指袋付き靴下または手袋を編成する際は、指袋を編成した後、この編成された指袋の編目のうち、次に編成する指袋と隣接する側の編幅方向端部の２〜３目をカミソリで抑えて編針に係止させた状態にする。そして、次の指袋の編成を行うときに、カミソリで編目を抑えている編針を用いて、この指袋の編幅方向端部の編目を形成する。【０００７】
例えば、小指から人差指へと順に指袋を編成して５本指の手袋を編成する場合には、編成された指袋に対して、次に編成する指袋側の編幅方向端部の編目をカミソリで抑えつけた状態にする。そして、隣接する次の指袋は、カミソリで編目を抑えている編針で編幅方向端部の編目を形成するように編成する。それから、この指袋の編成が終了すると、カミソリを、この編成された指袋における次に編成する指袋側の編幅方向端部の編目が係止されている針まで移動させる。このようにして、人差指の指袋を編成するまで、指袋の編成動作、カミソリの移動動作と抑止動作を繰り返す。【０００８】
そして、人差指の指袋の編成が行われた後に、編糸を周回させて４本胴の編成を行い、各指股部に形成された股重ねの編目を重合させる。さらに、４本胴を形成した後、親指の指袋を編成するときも、４本胴の編幅方向端部の編目をカミソリで抑えながら、このカミソリで抑えられている編目が係止される編針も用いて親指の指袋の編成を行う。このように編まれた手袋の指股部は孔が開かず、且つ強固なものに仕上げることができる。【０００９】
しかしながら、前記した方法で編成された従来の指袋付き靴下または手袋は、例えば、図１０に示す手袋のように、編み上がり状態では、指袋の指先が広がってしまう。ところで、軍手などの作業用手袋を除く、いわゆるファッション手袋は、市場に出す際、見栄えを良くするためにプレス加工を施す。このプレス加工は、人差指の指袋が甲側において最上に位置するように、人差指、中指、薬指、小指の指袋が編幅方向端部で重なり合うように行う。また、ファッション性を有する靴下の場合も、見栄えを良くするために、親指が最上に位置するように、親指、人差指、中指、薬指、小指の指袋が編幅方向端部で重なり合うようにプレス加工を施す。【００１０】
ところが、このようにプレス加工を施しても、編地の編目は形状を安定化しようとして、元の状態、即ち、指先が広がる方向に戻ろうとするので、指袋の重なり状態を長期に維持することは困難となる。その結果、靴下または手袋を長期保管した場合には、プレス加工時の形状が徐々に崩れていってしまう。さらに、手袋または靴下を洗濯した後は、プレス効果が無くなるので、編地は、編み上がり状態と同じように指先が広がった状態になってしまう。【００１１】
また、プレス作業を行う場合、指袋の重ね状態を手作業で均一に揃えた後に、プレスするため、プレス作業が煩雑となる不具合もある。【００１２】
本発明は、編み上がり時に、各指袋の編幅方向端部が常に重なった状態にできて、形状を整えるためのプレス作業を軽減できる指袋付きの靴下または手袋、およびその編成方法を提供することを目的とする。
【課題を解決するための手段】
【００１３】
本発明の指袋付き靴下または手袋の編成方法は、左右方向に延び、かつ、前後方向に互いに対向する少なくとも前後一対の針床を有し、前後の針床の少なくとも一方が左右にラッキング可能で、前後の針床間で編目の目移しが可能な横編機を用いて、指先から編成するとともに、少なくとも一つの指股部に対して、隣り合う指袋が、その編幅方向端部で重なり合うように指股部に襞状部を形成する編成方法である。【００１４】
襞状部の形成は、まず、隣接する二つの筒状部を、指股部形成位置において一つの筒状となるように接合して指股部を形成する。指股部を形成した後、接合後の筒状部における前側編地部または後側編地部の一方の編地部において、編地が折り重なるように、複数の編目を前記指股部で重ね合わせて重ね目を形成するとともに、前後他方の編地部の編目を一方の編地部側に回し込み、重ね目に連続する編目を形成することにより指股部に襞状部を形成する。【００１５】
なお、本発明における筒状部とは、親指、人差指、中指、薬指、小指の指袋、２本胴、３本胴、４本胴、５本胴をいう。【００１６】
複数の指股部に襞状部を形成するときは、前後編地部において同じ側の編地部で襞状部を形成するように、前記した隣接する二つの筒状部を接合して襞状部を形成する動作を繰り返す。この場合、隣接する二つの筒状部を接合する際に、すでに襞状部が形成された筒状部については、回し込まれた側の編幅方向端部を、他方の筒状部と接合する。【００１７】
さらに、隣接する筒状部を指股部形成位置において一つの筒状となるように接合して指股部を形成する場合、二つの筒状部を、編幅方向端部の編目が係止される編針が隣接するように配置させた状態にし、これら二つの筒状部の編目に連続するように少なくとも１コース筒状に編成する。このように筒状に編成することにより、二つの筒状部を接合することができる。【００１８】
しかし、この場合には、指股部に孔が開いてしまう。そこで、隣接する二つの筒状部を接合するときは、各筒状部の編幅方向端部の編目同士を重ね合わせた後、重ね目に連続する編目を形成し、それから襞状部を形成することが好ましい。重ね目は、編幅方向端部の１目同士でもよいし、端部の２目同士を重ね合わしてもよい。このように、編幅方向端部の編目を重ねて接合することにより、指股部に孔が開くのを防止できる。【００１９】
また、襞状部を形成するときは、編目が３目以上重ね合わされる。従って、太い糸を用いて、二つの筒状部を接合する際の重ね目に、さらに、襞状部を形成するための重ね目を形成しようとすると目移しや編目の形成などが行い難くなる。そこで、筒状部の接合時に形成した重ね目に対して連続する編目を形成しておき、その後、襞状部を形成することにより、襞状部を形成する際の重ね目の数を少なくできるので、襞状部の形成が容易に行えるようになる。なお、糸の太さによっては、筒状部の接合時に形成した重ね目を残したまま、襞状部を形成することもできる。【００２０】
本発明の編成方法は、さらに、隣接する二つの筒状部を接合する前に、襞状部が形成されていない一方の筒状部について、前側編地部と後側編地部の前後で対向する編幅方向端部の複数の編目同士が襞状部の形成時に重ね合わされるように、この一方の筒状部を予め回しておくことが好ましい。そして、このように予め筒状部を回した後に、襞状部を形成し、全ての襞状部が形成されたときに、接合された筒状部における前側編地部と後側編地部の境界部が前後の針床の間に位置するように編成することが好ましい。【００２１】
なお、全ての襞状部が形成されたときの接合された筒状部とは、例えば、５本指の靴下の場合で、全ての指股部に襞状部を形成する場合には、親指から小指までの５本の指袋を接合した５本胴のことをいう。この場合、５本胴が編成されたときに、前側編地部と後側編地部の境界部が前後の針床の間に位置するように、襞状部が形成されていない一方の筒状部を予め回しておいて、襞状部を形成する。【００２２】
また、５本指の手袋の場合で、親指指袋と人差指指袋との間の指股部に襞状部を形成せず、他の指股部に襞状分を形成する場合には、全ての襞状部が形成されたときの接合された筒状部は、人差指から小指までの４本の指袋を接合した４本胴のことをいう。この場合、４本胴が編成されたときに、前側編地部と後側編地部の境界部が前後の針床の間に位置するように、襞状部が形成されていない一方の筒状部を予め回しておいて、襞状部を形成する。【００２３】
前記した筒状部の回しは、一方の筒状部における前側編地部と後側編地部のそれぞれの異なる側の編幅端部の複数の編目が、対向する針床に移動するように行う。【００２４】
また、襞状部を形成する際の重ね合わされる編目数は、一つの編針に対して３目以上の奇数とすることが好ましい。さらに、重ね合わす編目数は３目ずつとすることが、襞を形成したときに生じる編地の盛り上がりを最小限にできながら、指袋同士を編幅方向端部で重ねた状態にでき、外観の美しい靴下または手袋を作製できる上で好ましい。【００２５】
また、襞状部を形成するために重ね目が形成される編針は、２針以上とすることが好ましい。重ね目が形成される編針の数は、ゲージや度詰めの条件により所望の数にすることができる。【００２６】
さらに、前記した編成方法により５本の指袋を有する靴下を編成する場合、指袋は、親指指袋が甲側において最上位置となって編幅方向端部が重ね合わされた状態になるように襞状部を形成することが好ましい。【００２７】
また、前記した編成方法により５本の指袋を有する手袋を編成する場合、人差指、中指、薬指、小指の指袋について、人差指指袋が他の指袋に対して甲側において最上位置となって編幅方向端部が重ね合わされた状態になるように襞状部を形成することが好ましい。【００２８】
そして、上記した編成方法により指袋付きの靴下または手袋を編成することにより、二つ以上の指袋を有し、少なくとも一つの指股部に対して、隣り合う指袋がその編幅方向端部で重なり合うように指股部に襞状部が形成された指袋付きの靴下または手袋を作製できる。そして、筒状部のうち、隣接する筒状部が接合されて一つの筒状になった筒状部に対して、前側編地部または後側編地部の一方の編地部において、編地が折り重なるように、複数の編目が前記指股部で重ね合わされ、さらに、重ね合わされた編目に連続する編目が形成されることにより、襞状部が形成される。
【発明の効果】
【００２９】
本発明の編成方法により得られる指袋付きの靴下または手袋は、前記した編成方法により指股部に襞状部が形成されるため、編み上がりの状態から、指袋に対してプレス加工を施すことなく、指袋が編幅方向端部で重なった状態にできる。すなわち、指袋を重ねるためのプレス加工をする必要がなくなり、編み上がりの状態から、常に指袋の重なり状態を維持できるので見栄えが良くなる。さらに、靴下または手袋を洗濯しても、常に指袋の重なり状態を維持できる。その結果、形状を整えるためのプレス作業を軽減できながら、指袋の重なり状態を長期に維持でき、しかも、見栄えを良好にできる。
【発明を実施するための最良の形態】
【００３０】
次に本発明の好適な実施の形態を図面に基づいて以下に詳細に説明する。以下に示す実施形態は、左右方向に延び、かつ、前後方向に互いに対向する前後一対の針床を有し、後針床が左右にラッキング可能で、しかも、前後の針床間で編目の目移しが可能ないわゆる２枚ベッドの横編機を用いて指袋付きの靴下または手袋を製作する。【００３１】
本実施形態では、２枚ベッドの横編機は、先端にフックを備えた針本体と、２枚の薄板を重ね合わせて構成したスライダーとからなる複合針を備えた２枚ベッドの横編機（例えば、株式会社島精機製作所製のＳＷＧ０２１）を用いる。なお、横編機は、前記複合針を備えた横編機だけでなく、べら針を備えた横編機を用いることもできる。さらに、横編機は、前記した２枚ベッドの横編機を用いるのではなく、４枚ベッドの横編機を用いることもできる。【００３２】
前記複合針を備えた横編機を用いる場合には、２枚ベッドでありながら、空針を設けることなく全針を用いて筒状編地の編成が行える。前記複合針を備える横編機では、一方の針床における複合針のスライダーで編目を他方の針床に進出させて、他方の針床における複合針のスライダーに編目を預け置くようにする（特開平１１−４３８４９号公報に開示される編目の預け置き方法）。【００３３】
なお、べら針の２枚ベッドの横編機を用いる場合は、筒状の編地を編成するときに、前後の各針床においてそれぞれ１本おきの針を用いて編成を行う。例えば、前針床の奇数番目の針を主として靴下や手袋の甲側の編地（以下前側編地部という。）を編成するために用い、後針床の偶数番目の針を主として靴下の裏側や手袋の掌側の編地（以下後側編地部という。）を編成するために用いる。【００３４】
１本おきの針を用いて編成を行う場合は、前針床で前側編地部を編成する際、前針床において編目が係止されている針と対向する後針床の針は空針となる。また、後針床で後側編地部を編成する際には、後針床において編目が係止されている針と対向する前針床の針は空針となる。そのため、前後の編地部はそれぞれ対向する針床に目移し用の空針を常に確保できる。【００３５】
前記したスライダーや空針を用いることにより、リンクス、ガーター、リブなどの表目と裏目が混在した組織柄を編成したり、前後の編目を編幅方向に移動させて互いに接合することができる。【００３６】
また、４枚ベッドの横編機を用いる場合は、例えば、下部前針床で、主として前側編地部を編成し、下部後針床で、主として後側編地部を編成する。そして、上部後針床を前側編地部を編成する際の空針として前側編地部の目移し、裏目の形成等に用い、上部前針床を後側編地部を編成する際の空針として後側編地部の目移し、裏目の形成等に用いる。【００３７】
以下に示す実施形態は、筒状部となる指袋をそれぞれ個別に筒状に編成し、これら指袋のうち２本の指袋を接合することにより２本胴となる筒状部を形成し、接合した筒状部に次々に指袋を接合しては、３本胴、４本胴、５本胴を形成していく。【００３８】
＜第１実施形態＞
図１は、５本の指袋を備える靴下(左足)の平面図である。図２から図４は、二つの実施形態で共通する基本的な編成方法の編成工程図を示し、図５および図６は、図１の靴下の編成方法の編成工程図を示す。【００３９】
第１実施形態で編成される靴下1は、５本の指袋を備え、図１において正面側が甲側編地部1A(前側編地部)となり、背面側が裏側編地部1B(後側編地部)となる。また、靴下1は、指先先端部の位置が第１指指袋21が最も突出しており、第１指指袋21、第２指指袋22、第３指指袋23、第４指指袋24、第５指指袋25の順に指先先端部の位置が下がっている。第１指指袋21は親指に対応し、第２指指袋22は人差指、第３指指袋23は中指、第４指指袋24は薬指、第５指指袋25は小指に対応する。【００４０】
さらに、第１指指袋21と第２指指袋22の間に第１指股部31を、第２指指袋22と第３指指袋23の間に第２指股部32を、第３指指袋23と第４指指袋24の間に第３指股部33を、第４指指袋24と第５指指袋25の間に第４指股部34を形成する。第１指股部31、第２指股部32、第３指股部33、第４指股部34の位置も、第１指股部31から順に足首側に下がっている。【００４１】
本実施形態では、第１指指袋21、第２指指袋22、第３指指袋23、第４指指袋24、第５指指袋25を個別に筒状に編成するのであって、第１指指袋21から第２指指袋22、第３指指袋23、第４指指袋24、第５指指袋25の順に編成していく。【００４２】
第１指指袋21と第２指指袋22を編成した後、第１指指袋21と第２指指袋22とを第１指股部31で接合して２本胴41を形成する。次に、第３指指袋23を編成して、第３指指袋23と２本胴41の第２指指袋22部分とを第２指股部32で接合して３本胴51を形成する。第４指指袋24を編成して、第４指指袋24と３本胴51の第３指指袋23部分とを第３指股部33で接合して４本胴61を形成する。第５指指袋25を編成して、第５指指袋25と４本胴61の第４指指袋24部分とを第４指股部34で接合して５本胴71を形成する。５本胴71を足挿入口11まで編成して、靴下1が形成される。【００４３】
本実施形態では、第１指指袋21、第２指指袋22、第３指指袋23、第４指指袋24、第５指指袋25、２本胴41、３本胴51、４本胴61、５本胴71が本発明でいう筒状部となる。また、本実施形態では、靴下の足の甲側編地部1Aを、主として前針床の針を使用して編成する。靴下の足の裏側編地部1Bを、主として後針床の針を使用して編成する。【００４４】
ただし、本実施形態および以下に示す他の実施形態では、各指袋は、指股部形成位置まで編成した時点における甲側編地部と裏側（手袋においては掌側）編地部との境界部を予め設定している。また、各指袋を筒状に編成するにあたっては、糸切れを防止するために前後の針床に係止される編目はほぼ同数にして編成する。【００４５】
第１実施形態にかかる靴下1の足挿入口11以外の部分の編組織、および、後記する第２実施形態の手袋の手挿入口12以外の部分の編組織は、説明の便宜上、平編みの無地としているが、ジャガードやリブ等の組織柄のものであってもよい。【００４６】
まず、本実施形態の靴下における指袋を有する筒状部および第２実施形態の手袋における指袋を有する筒状部の編成および筒状部の接合の方法の共通する基本的な編成方法について図２から図４に基づいて説明する。【００４７】
なお、図２から図４の編成工程図および後記する図５、図６、図８、図９の編成工程図において、左の数字は、編成工程のステップを示し、左のＦは前針床を、Ｂは後針床を示している。また、編地部の編目を丸で示し、各ステップの下側の丸は前針床Ｆに係止される編目を示し、上側の丸は後針床Ｂに係止される編目を示す。本実施形態を含め各実施形態において、編成工程図に示す編目は、接合する前の各筒状部の甲側編地部の編目を太い線で示し、裏側編地部の編目を細い線で示す。【００４８】
図２において、まず、第１筒状部81を筒状に編成する（ステップ１）。ステップ１において、後針床Ｂに係止される編目が後側編地部(足の裏側の編地部1B、手の掌側の編地部10B)の編目を示し、前針床Ｆに係止される編目が前側編地部(足の甲側編地部1A、手の甲側の編地部10A)の編目を示している。【００４９】
ステップ１で指股形成位置まで編成した第１筒状部81を、時計周りに回転させ（ステップ２）、ステップ３に示すように、前側編地部の編幅左側端部の編目２目を後針床Ｂに回し、後側編地部の編幅右側端部の編目２目を前針床Ｆに回しておく。【００５０】
なお、ステップ２は、隣接する第１筒状部81と第２筒状部82を接合する前に、ステップ１に示す第１筒状部81における前側編地部と後側編地部の前後で対向する編幅方向端部の複数の編目同士が襞状部の形成時に重ね合わされるように、この第１筒状部81を予め回しておく工程である。【００５１】
そして、第１筒状部81を針床に係止したまま、第２筒状部82を指股形成位置まで筒状に編成する(ステップ４)。【００５２】
第２筒状部82の前針床Ｆに係止される前側編地部の編目の全てを後針床Ｂのスライダーに預け置き、後針床Ｂを図の左に１ピッチラッキングした後、後針床Ｂのスライダーに係止されている第２筒状部82の前側編地部の編目を対向する前針床Ｆの針に目移しする。この目移しにより、第１筒状部81の前針床Ｆにおける編幅方向端部の編目に、第２筒状部82の編目が重ね合わされる。そして、後針床Ｂに係止される第２筒状部82の後側編地部の編目の全てを前針床Ｆのスライダーに預け置き、後針床Ｂを図２の右に１ピッチラッキングした後、前針床Ｆのスライダーに係止されている第２筒状部82の後側編地部の編目を対向する後針床Ｂの針に目移しする。この目移しにより、編幅端部の編目を、第１筒状部81の後針床Ｂにおける編幅方向端部の編目に第２筒状部82の編目が重ね合わされる（ステップ５）。ステップ５の編目の重ね合わせにより、第１筒状部81と第２筒状部82が接合されて、後側編地部の重ね目83と前側編地部の編目84で指股部85が形成される。【００５３】
次に、第１筒状部81と第２筒状部82が接合された状態から、周回編成を行う。このときの周回編成は、前側編地部を編成するときには、ステップ５において重ね合わされた、前側編地部の編目84に連続させるのではなく、後側編地部の編目83に連続して編目を形成する。そして、後側編地部を編成するときには、ステップ５において重ね合わされた、後側編地部の編目83に連続させるのではなく、前側編地部の編目84に連続して編目を形成する(ステップ６)。このように重ね目に連続する編目を形成することにより、重ね目が無くなるので、次の襞状部を形成する工程において、襞状部の形成が容易に行える。【００５４】
さらに、ステップ６の編成により、指股部85に股閉じが施され、指股部85での孔空きが防止されるとともに、指股部85の形状を維持し、かつ、指股部85を強化できる。この周回編成により、第３筒状部86が形成され始める。【００５５】
なお、ステップ６の周回編成は、前側編地部を編成するときに、前側編地部の編目84に連続して編目を形成し、後側編地部を編成するときに、後側編地部の編目83に連続して編目を形成するように行ってもよい。【００５６】
そして、ステップ６の状態から、前側編地部を編成した後、後側編地部を編成する周回編成を行う(ステップ７)。なお、説明の便宜上、ステップ７の状態で、後針床Ｂに係止される編目を左から順に番号をつけて1〜11とし、前針床Ｆに係止される編目を右から順に番号をつけて12〜22とする。【００５７】
ステップ７の状態から、第３筒状部86の指股部85に襞状部を形成するための編成を行う。まず、ステップ７の状態から、後針床Ｂを右方向に１ピッチラッキングした後、前針床Ｆに係止されている編目(22)を対向する後針床Ｂの針に目移しするとともに、後針床Ｂに係止されている編目(11)を対向する前針床Ｆの針に目移しして、第３筒状部86の回し込みを行い、図２のステップ８の状態にする。【００５８】
次に、後針床Ｂをさらに右方向に２ピッチラッキングした後、後針床Ｂに係止されている編目(10)を対向する前針床Ｆの針に目移しして、図３のステップ９の状態にする。そして、後針床Ｂを左方向に１ピッチラッキングした後、前針床Ｆの針に係止されている編目(10)から(18)を対向する後針床Ｂのスライダーに預け置く（ステップ１０）。【００５９】
後針床Ｂを左方向にさらに１ピッチラッキングした後、後針床Ｂに係止されている編目(22)を対向する前針床Ｆの針に目移しするとともに、後針床Ｂのスライダーに預け置かれていた編目(18)を対向する前針床Ｆの針に目移しする。編目(18)の目移しにより、編目(18)は、編目(19)に重ね合わされた状態になる（ステップ１１）。【００６０】
次に、後針床Ｂを左方向にさらに２ピッチラッキングした後、後針床Ｂに係止されている編目(1)を対向する前針床Ｆの針に目移しするとともに、後針床Ｂのスライダーに預け置かれていた編目(17)を対向する前針床Ｆの針に目移しする。編目(17)の目移しにより、編目(17)は、編目(20)に重ね合わされた状態になる（ステップ１２）。【００６１】
そして、後針床Ｂを左方向にさらに１ピッチラッキングした後、後針床Ｂのスライダーに預け置かれていた全ての編目(10)から(16)を対向する前針床Ｆの針に目移しする。これら編目の目移しにより、編目(16)は、編目(20)と編目(17)に重ね合わされ、編目(15)は、編目(19)と編目(18)に重ね合わされた状態になる（ステップ１３）。【００６２】
ステップ１３の状態では、編目(10)と編目(9)が離れた状態となるので、後針床Ｂを右方向に１ピッチラッキングした後、前針床Ｆに係止されている編目(1)を対向する後針床Ｂの針に目移しして、ステップ１４の状態にする。その後、さらに、後針床Ｂを右方向に１ピッチラッキングして、ステップ１５の状態にする。ステップ１５の状態から周回編成してステップ１６の状態にする。周回編成により、編目(16)(17)(20)の重ね目に連続する編目と、編目(15)(18)(19)の重ね目に連続する編目が形成されて、これら重ね目の部分により指股部の前側編地部に襞状部が形成された状態になる。【００６３】
図２および図３のステップ８からステップ１６の編成では、第３筒状部86を時計方向に回し込みした後に、襞状部の形成を行ったが、図４の編成工程図に示すように、図２のステップ７の状態から、第３筒状部86の回し込みを行わずに、そのまま襞状部の形成を行うためにスライダーに編目を預け置くようにしてもよい。図４に示す編成では、前記した図２のステップ１からステップ７まで編成を行った後、図４のステップ８の編成を行う。【００６４】
ステップ７の状態から、前針床Ｆの針に係止されている編目(12)から(18)を対向する後針床Ｂのスライダーに預け置く（ステップ８）。後針床Ｂを左方向に１ピッチラッキングした後、後針床Ｂに係止されている編目(1)を対向する前針床Ｆの針に目移しするとともに、後針床Ｂのスライダーに預け置かれていた編目(18)を対向する前針床Ｆの針に目移しする。編目(18)の目移しにより、編目(18)は、編目(19)に重ね合わされた状態になる（ステップ９）。【００６５】
次に、後針床Ｂを左方向にさらに２ピッチラッキングした後、後針床Ｂに係止されている編目(2)を対向する前針床Ｆの針に目移しするとともに、後針床Ｂのスライダーに預け置かれていた編目(17)を対向する前針床Ｆの針に目移しする。編目(17)の目移しにより、編目(17)は、編目(20)に重ね合わされた状態になる（ステップ１０）。【００６６】
そして、後針床Ｂを左方向にさらに１ピッチラッキングした後、後針床Ｂのスライダーに預け置かれていた全ての編目(12)から(16)を対向する前針床Ｆの針に目移しする。これら編目の目移しにより、編目(16)は、編目(20)と編目(17)に重ね合わされ、編目(15)は、編目(19)と編目(18)に重ね合わされた状態になる（ステップ１１）。【００６７】
ステップ１１の状態から周回編成してステップ１２の状態にする。周回編成により、編目(16)(17)(20)の重ね目に連続する編目と、編目(15)(18)(19)の重ね目に連続する編目が形成されて、これら重ね目の部分により前側編地部に襞状部が形成された状態になる。図４に示す編成ではステップ１２の段階に至ったときに、第３筒状部86は、図２のステップ７の状態に対して、結果的に編目(1)と編目(2)が反時計方向に回し込みされた状態となる。【００６８】
なお、図２のステップ２における筒状部の回しと、図４のステップ９とステップ１０における編目の回し込みを行うときには、一方の針床から他方の針床に目移しを行う際に、編目の捻れが生じないようにすることが好ましい。捻れを防止するためには、目移しを行なう前の編成工程において、回し込みする編目を、目移しにより捻れが解消される方向に捻って形成する。このように回し込みする編目を、目移ししたときに捻れが解消されるように予め捻っておくことにより、回し込みを行っても、編目に捻れが生ずることを防止でき、外観を美しくできる。【００６９】
以下に示す第１実施形態および第２実施形態では、二つの筒状部を編幅方向端部の編目を重ねることにより接合し、さらに、股閉じを施すという編成工程は、図２に示すステップ１からステップ７までと同じである。そして、第１実施形態では、４本胴61を形成するまでは、襞状部90の形成は、図２のステップ８から図３のステップ１６までの工程で編成を行い、４本胴61と第５指指袋25を接合して襞状部90を形成するときは、図４に示す工程で編成を行う。【００７０】
第１実施形態では、図５および図６の編成工程図に示すように、まず、第１指指袋21を、第１指股部31の形成位置まで編成した後、第１指指袋21を時計回りに回転させて、編幅方向端部の編目２目ずつを回し込む（ステップ１）。第１指指袋21の編目の回し込みは、靴下の編成が完了した時点で、第１指指袋21における前後の編地部の境界部と５本胴71における前後の編地部の境界部とを一致させるために行う。このように回し込み編成を行うと、前後の編地部の境界部を挟むウエールを指先から５本胴71まで揃えることができるので、外観が美しくなる。そして、第１指指袋21の編目の回し込みを行った後、第２指指袋22を、第１指股部31の形成位置まで編成する（ステップ２）。【００７１】
第２指指袋22に対して、図２のステップ５の工程を行うことにより、第１指指袋21と第２指指袋22が接合されて第１指股部31が形成され、図５のステップ３の状態になる。【００７２】
次に、第１指指袋21と第２指指袋22とを接合した状態から、図２のステップ６からステップ７に示した股閉じを施す周回編成をして２本胴41を形成した後、襞状部の形成を行う。このとき、図５のステップ３で重ね合わされた前側編地部の編目（第１指股部31を形成する編目）から左に２つ目の編目が係止される編針と、この編目のさらに左側の編目が係止される編針の２本の編針が、それぞれ３つの編目が重ね合わされる編針となる。【００７３】
図５のステップ３の状態で、１目ずつ編目が係止されている前記重ね目用の２本の編針に対して、さらに２目ずつ編目を係止させて、これら重ね目用の２本の編針に３目の重ね目を形成する（ステップ４）。このときの重ね目の形成は前記した図２のステップ８から図３のステップ１５までの工程で行う。重ね目の形成により、２本胴41の第２指指袋22側端部における後側編地部の編目２目が前針床Ｆに回し込みされる。【００７４】
そして、図５のステップ４の状態から、前記重ね目に連続する編目を形成するために、２本胴41の周回編成を少なくとも１コース行う。この周回編成により、第１指股部31に襞状部90が形成され、図５のステップ５の状態となる。さらに、ステップ５では、２本胴41に隣接して、第３指指袋23を第２指股部32の形成位置まで編成する。なお、２本胴41の周回編成は、次に接合する第３指指袋23との接合開始位置となる第２指股部32の形成位置まで行うが、この周回編成の編成コース数は、適宜設定することができ、この編成コース数に応じて第２指股部32の形成位置を自由に設定できる。そして、この２本胴41の周回編成だけでなく、以下に示す３本胴51、４本胴61、そして、第２実施形態の２本胴42、３本胴52、４本胴62においても、周回編成コース数は、次に形成する指股部形成位置に応じて設定する。【００７５】
２本胴41と第３指指袋23とを接合して襞状部を形成する編成および第４指指袋24の編成も、前記した第１指指袋21と第２指指袋22の接合、股閉じ、襞状部の形成、および、第３指指袋23の編成と同様の編成を行う（ステップ６からステップ８）。【００７６】
ステップ６からステップ８で形成された３本胴51と、第４指指袋24とを接合して襞状部を形成する編成および第５指指袋25の編成も、前記した第１指指袋21と第２指指袋22の接合、股閉じ、襞状部の形成、および、第３指指袋23の編成と同様の編成を行う（ステップ９からステップ１１）。【００７７】
ステップ９からステップ１１で形成された４本胴61と第５指指袋25については、４本胴61と第５指指袋25とを接合する場合は、前記した第１指指袋21と第２指指袋22の接合と同様の編成を行う（ステップ１２）。接合した状態から、図２のステップ６からステップ７に示した股閉じを施す周回編成をして５本胴71を形成する。そして、５本胴71に襞状部90を形成する編成を行うときは、図４のステップ８からステップ１１に示した編成を行う。５本胴71に襞状部90を形成する場合は、重ね目を形成していくときに５本胴71の第１指指袋21側端部における後側編地部の２目を反時計周りに回し込む（ステップ１３）。この回し込みにより、後針床Ｂに係止されていた前側編地部の編目が前針床Ｆに戻される。【００７８】
図６のステップ１３まで編成を行って、５本胴71の周回編成を行うことにより、第４指股部34に襞状部90を形成する（ステップ１４）。このようにして、指袋を接合していくことにより、靴下1の甲側の編地部における各指股部に襞状部90が形成される。この襞状部90の形成により、靴下1を編み上げたときは、図１に示すように、親指が挿入される第１指指袋21が最上位置となるように、各指袋の編幅方向端部が重ね合わされた状態になり、プレス加工を施すことなく、各指袋がまっすぐに伸びた状態となって見栄えがよくなる。【００７９】
＜第２実施形態＞
前記第１実施形態は、靴下の実施形態について説明したが、本発明の指袋の編成方法は、手袋の指袋の編成にも適用できる。第２実施形態を図７の手袋（左手）平面図および図８および図９の編成工程図に基づいて説明する。第２実施形態は、５本の指袋を備え、図７において正面側が甲側編地部10A(前側編地部)となり、背面側が掌側編地部10B(後側編地部)となる。また、手袋10は、図７に示すように、中指指袋23の先端が最も突出しており、次に人差指指袋22、薬指指袋24、小指指袋25、親指指袋21の順に指先先端部の位置が下がった状態のものである。【００８０】
さらに、親指指袋21と人差指指袋22の間に第１指股部31を、人差指指袋22と中指指袋23の間に第２指股部32を、中指指袋23と薬指指袋24の間に第３指股部33を、薬指指袋24と小指指袋25の間に第４指股部34を形成する。第２実施形態では、指股部が形成される位置が、第２指股部32、第３指股部33、第４指股部34、第１指股部31の順に手首側に下がっている。【００８１】
第２実施形態は、人差指指袋22、中指指袋23、薬指指袋24、小指指袋25、親指指袋21の順に個別に指袋を編成していく。【００８２】
そして、人差指指袋22と中指指袋23とを編成した後、人差指指袋22と中指指袋23とを、第２指股部32で接合して２本胴42を形成する。次に、薬指指袋24を編成して、この薬指指袋24と２本胴42の中指指袋23部分とを第３指股部33で接合して３本胴52を形成する。小指指袋25を編成して、小指指袋25と３本胴52の薬指指袋24部分とを第４指股部34で接合して４本胴62を形成する。親指指袋21を編成して、親指指袋21と４本胴62の人差指指袋22部分とを第１指股部31で接合して５本胴72を形成する。５本胴72を手挿入口12まで編成して、手袋10が形成される。【００８３】
第２実施形態の指袋の編成および接合の方法について具体的に図８および図９の編成工程図に基づいて説明する。本実施形態では、親指指袋21、人差指指袋22、中指指袋23、薬指指袋24、小指指袋25、２本胴42、３本胴52、４本胴62、５本胴72が本発明でいう筒状部となる。また、本実施形態では、手袋の甲側編地部10Aを、主として前針床Ｆの針を使用して編成する。手袋の掌側編地部10Bを、主として後針床Ｂの針を使用して編成する。【００８４】
そして、第２実施形態では、人差指指袋22と中指指袋23とを接合して襞状部90を形成する工程と、２本胴42と薬指指袋24を接合して襞状部90を形成する工程においては、図２のステップ８から図３のステップ１６に示す編成を行う。３本胴52と小指指袋25を接合して襞状部90を形成する工程と、４本胴62と親指指袋21を接合して襞状部90を形成する工程においては、図４のステップ８からステップ１２に示す編成を行う。【００８５】
第２実施形態では、まず、人差指指袋22を、第２指股部32の形成位置まで編成した後、人差指指袋22を時計回りに回転させて、編幅方向端部の編目２目ずつを回し込む（ステップ１）。人差指指袋22の編目の回し込みは、４本胴62に襞状部90が形成された時点で、４本胴62の前後の境界部を前後の針床の間に位置させるために行う。このように回し込み編成を行うと、４本胴62に親指指袋21を接合する際に、４本胴62の編幅方向端部のウエールを前後の編地部の境界部を挟むウエールにすることができるので、接合後の人差指指袋22の先端から４本胴62に至るウエールの捻れを防止できる。そして、人差指指袋22の編目の回し込みを行った後、中指指袋23を、第２指股部32の形成位置まで編成する（ステップ２）。【００８６】
中指指袋23に対して、図２のステップ５の工程を行うことにより、人差指指袋22と中指指袋23が接合されて第２指股部32が形成され、図８のステップ３の状態になる。【００８７】
次に、人差指指袋22と中指指袋23とを接合した状態から、図２のステップ６からステップ７に示した股閉じを施す周回編成をして２本胴42を形成した後、襞状部の形成を行う。このとき、図８のステップ３で重ね合わされた前側編地部の編目（第２指股部32を形成する編目）から左に２つ目の編目が係止される編針と、この編目のさらに左側の編目が係止される編針の２本の編針が、それぞれ３つの編目が重ね合わされる編針となる。【００８８】
図８のステップ３の状態で、１目ずつ編目が係止されている襞状部90を形成するために用いる重ね目用の２本の編針に対して、さらに２目ずつ編目を係止させて、これら重ね目用の２本の編針に３目の重ね目を形成する（ステップ４）。このときの重ね目は前記した図２のステップ８から図３のステップ１５までの工程で行う。重ね目の形成により、２本胴42の中指指袋23側端部における後側編地部の編目２目が前針床Ｆに回し込みされる。そして、図８のステップ４の状態から、前記重ね目に連続する編目を形成するために、２本胴42の周回編成を少なくとも１コース行う。この周回編成により、２本胴42は、第２指股部32に襞状部90が形成され、図８のステップ５の状態となる。さらに、図８のステップ５では、２本胴42に隣接して、薬指指袋24を第３指股部33の形成位置まで編成する。【００８９】
２本胴42と薬指指袋24とを接合して襞状部を形成する編成、および、小指指袋25の編成も、前記した人差指指袋22と中指指袋23の接合、股閉じ、襞状部の形成、および、薬指指袋24の編成と同様の編成を行う（ステップ６からステップ８）。【００９０】
ステップ６からステップ８で形成された３本胴52と、小指指袋25とを接合する編成は、前記した人差指指袋22と中指指袋23の接合と同様の編成を行う（ステップ９）。そして、接合した状態から、図２のステップ６からステップ７に示した股閉じを施す周回編成をして４本胴62を形成する。４本胴62に襞状部を形成する編成を行うときは、４本胴62における後側編地部の親指指袋21との接合側端部の編目を反時計周りに回し込みながら、襞状部90を形成するために用いる重ね目用の２本の編針に対して３目の重ね目を形成する（ステップ１０）。このときの重ね目は前記した図４のステップ８からステップ１１までの工程で行う。そして、図９のステップ１０の状態から、前記重ね目に連続する編目を形成するために、４本胴62の周回編成を少なくとも１コース行う。この周回編成により、第４指股部34に襞状部90が形成され、図９のステップ１１の状態となる。【００９１】
なお、図９のステップ１１では、親指指袋21を第１指股部31の形成位置まで編成した後、親指指袋21を時計回りに回転させて、編幅方向端部の編目２目ずつを回し込む。親指指袋21の編目の回し込みは、手袋の編成が完了した時点で、親指指袋21における前後の編地部の境界部と５本胴72における前後の編地部の境界部とを一致させるために行う。このように回し込み編成を行うと、前後の編地部の境界部を挟むウエールを揃えることができるので、外観が美しくなる。【００９２】
４本胴62と親指指袋21とを接合して襞状部を形成する編成は、前記した３本胴52と、小指指袋25の接合、股閉じ、および襞状部の形成と同様の編成を行う（ステップ１２からステップ１４）。【００９３】
このようにして、指袋を接合していくことにより、手袋10の甲側編地部10Aにおける各指股部に、襞状部90が形成される。この襞状部90の形成により、手袋10を編み上げたときは、図７に示すように、親指指袋21、人差指指袋22、中指指袋23、薬指指袋24、小指指袋25は、親指指袋21が甲側において最上となる。各指袋は、編幅方向端部が重ね合わされた状態になり、プレス加工を施すことなく、４本の指袋がまっすぐに伸びた状態となって見栄えがよくなる。【００９４】
前記した第１実施形態及び第２実施形態では、複数の指股部に襞状部を形成し、しかも、前側編地部において襞状部を形成するように、隣接する二つの筒状部を接合して襞状部を形成する動作を繰り返した。そして、隣接する二つの筒状部を接合する際、すでに襞状部が形成された筒状部については、回し込まれた側の編幅方向端部を、次の他方の筒状部と接合するようになっている。【００９５】
さらに、前記第１実施形態では第１指指袋21を、前記第２実施形態では人差指指袋22と親指指袋21とを、隣接する二つの筒状部を接合する前に予め回している。この回し動作は、前側編地部と後側編地部の前後で対向する編幅方向端部の複数の編目同士が襞状部の形成時に重ね合わされるように行っている。そして、このように筒状部を予め回した状態で、襞状部を形成することにより、全ての襞状部が形成されたときに、接合された筒状部（５本胴71,72）における前側編地部と後側編地部の境界部が前後の針床の間に位置する。
【産業上の利用可能性】
【００９６】
本発明の編成方法は、横編機を用いて無縫製で編成される指袋付きの靴下または手袋を編成する場合に適している。
【図面の簡単な説明】
【００９７】
【図１】本発明の靴下の編成方法の第１実施形態であって、靴下の平面図を示す。
【図２】第１実施形態および第２実施形態に共通する筒状部の編成工程図である。
【図３】図２に続く編成工程図である。
【図４】図２のステップ７に続く他の編成工程図である。
【図５】第１実施形態にかかる靴下の編成工程図である。
【図６】図５に続く編成工程図である。
【図７】本発明の手袋の編成方法の第２実施形態であって、手袋の平面図を示す。
【図８】第２実施形態にかかる手袋の編成工程図である。
【図９】図８に続く編成工程図である。
【図１０】従来の手袋の指袋の状態を示す平面図である。
【符号の説明】
【００９８】
1  靴下    
1A  甲側編地部      1B  裏側編地部
10  手袋  
10A  甲側編地部      10B  掌側編地部
11  足挿入口      12  手挿入口
21  第１指指袋，親指指袋      22  第２指指袋，人差指指袋  
23  第３指指袋，中指指袋      24  第４指指袋，薬指指袋    
25  第５指指袋，小指指袋
31  第１指股部      32  第２指股部      33  第３指股部    
34  第４指股部      
41,42  ２本胴
51,52  ３本胴
61,62  ４本胴
71,72  ５本胴
81  第１筒状部      82  第２筒状部  
83  後側編地部の重ね目      84  前側編地部の重ね目      85  指股部
86  第３筒状部  
90  襞状部
【図１】
0004848378.tif 000002
【図２】
0004848378.tif 000003
【図３】
0004848378.tif 000004
【図４】
0004848378.tif 000005
【図５】
0004848378.tif 000006
【図６】
0004848378.tif 000007
【図７】
0004848378.tif 000008
【図８】
0004848378.tif 000009
【図９】
0004848378.tif 000010
【図１０】
0004848378.tif 000011